【手続補正書】
【提出日】平成26年10月1日(2014.10.1)
【手続補正１】
【補正対象書類名】特許請求の範囲
【補正対象項目名】全文
【補正方法】変更
【補正の内容】
【特許請求の範囲】
【請求項１】
金属表面を、次の成分：
ａ）酸性基を含む少なくとも１種の水溶性ポリマー（Ｘ）  １０〜４０質量％、その際にポリマー（Ｘ）は、ポリマー１００ｇあたり少なくとも０．６モルの酸基を有し、かつ水溶性ポリマー（Ｘ）は、次のモノマー：
Ｍ１：メタクリル酸及び／又はアクリル酸  ３０〜９０質量％；
Ｍ２：（Ｍ１）とは異なる、１個以上の酸性基を有する少なくとも１種の更なるモノエチレン系不飽和モノマー  １０〜７０質量％；
任意に、Ｍ３：ＯＨ基を有する少なくとも１種のメタクリル酸エステル及び／又はアクリル酸エステル  ０〜４０質量％；
任意に、Ｍ４：（Ｍ１）、（Ｍ２）又は（Ｍ３）とは異なる、少なくとも１種の更なるエチレン系不飽和モノマー  ０〜３０質量％
から構成されているコポリマー（Ｘ１）である；
ｂ）少なくとも１種の揮発性の塩基性化合物（Ｂ）  １〜２０質量％；
ｃ）多価金属イオン（Ｍ）及びカチオン性ポリマー（Ｐ）から選択される、少なくとも１種のカチオン性架橋剤  ０．０１〜２５質量％；
ｄ）水を少なくとも８０質量％含有する、少なくとも１種の溶剤（Ｌ）  ２０〜８９質量％；
ｅ）任意に、少なくとも１種の界面活性剤（Ｔ）  ０〜３質量％；
ｆ）任意に、少なくとも１種の更なる成分（Ｋ）  ０〜３０質量％；
を含有する水性組成物と接触させ、その際に該水性組成物のｐＨ値が９〜１２の範囲内である、金属表面を不動態化する方法。
【請求項２】
水性組成物が、カチオン性架橋剤として、Ｍｇ2+、Ｃａ2+、Ｚｎ2+、Ｍｎ2+、Ｆｅ2+、Ｃｒ3+、Ａｌ3+、Ｔｉ4+、Ｚｒ4+、Ｃｅ3+及びＣｅ4+から選択される、少なくとも１種の多価金属イオン（Ｍ）を含有する、請求項１記載の方法。
【請求項３】
水性組成物が、カチオン性架橋剤として、ポリエチレンイミン、ポリエチレンイミン誘導体、ポリビニルアミン及びポリビニルイミダゾールから選択される、少なくとも１種のカチオン性ポリマー（Ｐ）を含有する、請求項１又は２記載の方法。
【請求項４】
該組成物が、０．１〜２質量％、好ましくは０．１〜０．８質量％の少なくとも１種の界面活性剤（Ｔ）を含有する、請求項１から３までのいずれか１項記載の方法。
【請求項５】
水溶性ポリマー（Ｘ）が、次のモノマー：
Ｍ１：アクリル酸  ２０〜６０質量％；
Ｍ２：ビニルホスホン酸  ２０〜６０質量％；
Ｍ３：ヒドロキシエチルアクリラート  １〜４０質量％
から構成されているコポリマーである、請求項１から４までのいずれか１項記載の方法。
【請求項６】
水性組成物を、金属表面上に湿潤皮膜の形態で塗布し、その際に水性組成物を０．３〜２ｇ／ｍ2の範囲内の塗布質量で金属表面上に塗布する、請求項１から５までのいずれか１項記載の方法。
【請求項７】
ａ）酸性基を含む少なくとも１種の水溶性ポリマー（Ｘ）  １０〜４０質量％、その際にポリマー（Ｘ）は、ポリマー１００ｇあたり少なくとも０．６モルの酸基を有し、かつ水溶性ポリマー（Ｘ）は、次のモノマー：
Ｍ１：メタクリル酸及び／又はアクリル酸  ３０〜９０質量％；
Ｍ２：（Ｍ１）とは異なる、１個以上の酸性基を有する少なくとも１種の更なるモノエチレン系不飽和モノマー  １０〜７０質量％；
任意に、Ｍ３：ＯＨ基を有する少なくとも１種のメタクリル酸エステル及び／又はアクリル酸エステル  ０〜４０質量％；
任意に、Ｍ４：（Ｍ１）、（Ｍ２）又は（Ｍ３）とは異なる、少なくとも１種の更なるエチレン系不飽和モノマー  ０〜３０質量％
から構成されているコポリマー（Ｘ１）である；
ｂ）アンモニア、Ｃ1〜4 アルキルアミン及びＣ1〜4 アルカノールアミンから選択される、少なくとも１種の揮発性の塩基性化合物（Ｂ）  １〜２０質量％；
ｃ）多価金属イオン（Ｍ）及びカチオン性ポリマー（Ｐ）から選択される、少なくとも１種のカチオン性架橋剤  ０．０１〜２５質量％
ｄ）水を少なくとも８０質量％含有する、少なくとも１種の溶剤（Ｌ）  ２０〜８９質量％；
ｅ）任意に、少なくとも１種の界面活性剤（Ｔ）  ０〜３質量％；
ｆ）任意に、少なくとも１種の更なる成分（Ｋ）  ０〜３０質量％；
を含有する、金属表面を不動態化するための組成物であって、その際に該水性組成物が９〜１２の範囲内のｐＨ値を有する、組成物。
【請求項８】
ａ）酸性基を含む少なくとも１種の水溶性ポリマー（Ｘ）  １０〜４０質量％、その際にポリマー（Ｘ）は、ポリマー１００ｇあたり少なくとも０．６モルの酸基を有し、かつ水溶性ポリマー（Ｘ）は、次のモノマー：
Ｍ１：メタクリル酸及び／又はアクリル酸  ３０〜９０質量％；
Ｍ２：（Ｍ１）とは異なる、１個以上の酸性基を有する少なくとも１種の更なるモノエチレン系不飽和モノマー  １０〜７０質量％；
任意に、Ｍ３：ＯＨ基を有する少なくとも１種のメタクリル酸エステル及び／又はアクリル酸エステル  ０〜４０質量％；
任意に、Ｍ４：（Ｍ１）、（Ｍ２）又は（Ｍ３）とは異なる、少なくとも１種の更なるエチレン系不飽和モノマー  ０〜３０質量％
から構成されているコポリマー（Ｘ１）である；
ｂ）アンモニア  １〜２０質量％；
ｃ１）ポリエチレンイミン、ポリエチレンイミン誘導体、ポリビニルアミン及びポリビニルイミダゾールから選択される、少なくとも１種のカチオン性ポリマー（Ｐ）  ０．５〜５質量％；
ｃ２）任意に、Ｍｇ2+、Ｃａ2+、Ｚｎ2+、Ｍｎ2+、Ｆｅ2+、Ｃｒ3+、Ａｌ3+、Ｔｉ4+、Ｚｒ4+及びＣｅ3+から選択される、少なくとも１種の多価金属イオン（Ｍ）  ０．０１〜２５質量％；
ｄ）水を少なくとも８０質量％含有する、少なくとも１種の溶剤（Ｌ）  ２０〜８９質量％；
ｅ）任意に、少なくとも１種の界面活性剤（Ｔ）  ０〜３質量％；
ｆ）任意に、少なくとも１種の更なる成分（Ｋ）  ０〜３０質量％；
を含有し、その際に該水性組成物のｐＨ値が９〜１２の範囲内である、請求項７記載の組成物。
【請求項９】
金属表面を、次の成分：
ａ）酸性基を含む少なくとも１種の水溶性ポリマー（Ｘ）  １０〜４０質量％、その際にポリマー（Ｘ）は、ポリマー１００ｇあたり少なくとも０．６モルの酸基を有し、かつ水溶性ポリマー（Ｘ）は、次のモノマー：
Ｍ１：メタクリル酸及び／又はアクリル酸  ３０〜９０質量％；
Ｍ２：（Ｍ１）とは異なる、１個以上の酸性基を有する少なくとも１種の更なるモノエチレン系不飽和モノマー  １０〜７０質量％；
任意に、Ｍ３：ＯＨ基を有する少なくとも１種のメタクリル酸エステル及び／又はアクリル酸エステル  ０〜４０質量％；
任意に、Ｍ４：（Ｍ１）、（Ｍ２）又は（Ｍ３）とは異なる、少なくとも１種の更なるエチレン系不飽和モノマー  ０〜３０質量％
から構成されているコポリマー（Ｘ１）である；
ｂ）アンモニア、Ｃ1〜4 アルキルアミン及びＣ1〜4 アルカノールアミンから選択される、少なくとも１種の揮発性の塩基性化合物（Ｂ）  １〜２０質量％；
ｃ）多価金属イオン（Ｍ）及びカチオン性ポリマー（Ｐ）から選択される、少なくとも１種のカチオン性架橋剤  ０．０１〜２５質量％；
ｄ）水を少なくとも８０質量％含有する、少なくとも１種の溶剤（Ｌ）  ２０〜８９質量％；
ｅ）任意に、少なくとも１種の界面活性剤（Ｔ）  ０〜３質量％；
ｆ）任意に、少なくとも１種の更なる成分（Ｋ）  ０〜３０質量％
を含有する水性組成物と接触させることにより得られ、その際に該水性組成物のｐＨ値が９〜１２の範囲内である、金属表面上のコーティング。